(57)【要約】【課題】根菜類などを簡易に栽培可能とするとともに、栽培用土の温度管理を容易に行うことを可能とする。【解決手段】本発明に係る畝築造栽培アダプタは、上面と側面を有する筐体を有し、上面には、立壁で形成されるとともに、第１の方向に延在する開口を有する栽培土用空間が形成され、側面と立壁の間、もしくは、立壁同士の間には通気空間が形成され、第１の方向と交差する側面には、通気空間に冷気を流入、流出させるための通気孔が設けられていることを特徴とする。【選択図】図１
2014103876.tif 000002
【特許請求の範囲】
【請求項１】
上面と側面を有する筐体を有し、
前記上面には、立壁で形成されるとともに、第１の方向に延在する開口を有する栽培土用空間が形成され、
前記側面と前記立壁の間、もしくは、前記立壁同士の間には通気空間が形成され、
前記第１の方向と交差する前記側面には、前記通気空間に冷気を流入、流出させるための通気孔が設けられていることを特徴とする
畝築造栽培アダプタ。
【請求項２】
前記栽培土用空間を形成する立壁には、排水孔が設けられていることを特徴とする
請求項１に記載の畝築造栽培アダプタ。
【請求項３】
前記栽培土用空間を形成する立壁の下部には、脚部が設けられていることを特徴とする
請求項１または請求項２に記載の畝築造栽培アダプタ。
【請求項４】
畝築造栽培アダプタと、
前記畝築造栽培アダプタの下方に配置される平パレットを有し、
前記畝築造アダプタは、
上面と側面を有する筐体を有し、
前記上面には、立壁で形成されるとともに、第１の方向に延在する開口を有する栽培土用空間が形成され、
前記側面と前記立壁の間、もしくは、前記立壁同士の間には通気空間が形成され、
前記第１の方向と交差する前記側面には、前記通気空間に冷気を流入、流出させるための通気孔が設けられていることを特徴とする
畝築造栽培装置。
【発明の詳細な説明】
【技術分野】
【０００１】
本発明は、根菜類などの栽培対象物を土耕栽培にて栽培する畝築造栽培装置、並びに、畝築造栽培装置の一構成となる畝築造栽培アダプタに関する。
【背景技術】
【０００２】
従来、栽培地の地面に畝を形成し果実や野菜などの栽培対象物を栽培する土耕栽培が知られている。このような土耕では、作業者の足下で栽培された栽培対象物の育苗などを行うため、作業者は、中腰やしゃがんだ姿勢をとることが多い。このような、作業者の負担を解消するため、特許文献１、特許文献２には、栽培対象物を高所に位置させることで、作業者の負担軽減を図る高設栽培装置が開示されている。
【０００３】
例えば特許文献１では、櫛状に形成された培土収容部と、補強部材と、保持手段とで構成される高設栽培容器を使用することで、植物などの栽培対象物を高所に位置させ、作業者の肉体的負担の削減を図っている。特許文献２についても、支柱上に培土収容器を設置することで、作業者による立ち作業を可能とし栽培作業の効率化が図られている。この特許文献２には、培土容器に空洞を形成してき、空洞内に温水や冷水などの温度調節用媒体を通すことについても開示がみられる。
【先行技術文献】
【特許文献】
【０００４】
【特許文献１】特許第３１１７６７３号公報
【特許文献２】特許第３０７１１６８号公報
【発明の概要】
【発明が解決しようとする課題】
【０００５】
ところで、現在、屋内やコンテナなどの閉空間もしくは半閉空間にて野菜や果実などの栽培を行う、いわゆる植物工場の試みが行われている。このような植物工場では、日光に代えて照明光を使用するとともに、水分や温度をコントロールすることで効率的に栽培を行うことが可能である。また、閉空間もしくは半閉空間での栽培を可能とするため、砂漠や極寒地などの悪環境下においても栽培を行うことが可能となる。
【０００６】
このような植物工場では、栽培対象物の育成あるいは運搬を効率よく行うことを目的として平パレット上での栽培が行われることが多い。しかしながら、レタスなどの葉物類と、大根、人参などの根菜類とでは、栽培する土壌の深さが異なることとなり、特に、深い土壌を必要とする根菜類については、深い土壌を作るため必要な高さを有する平パレットを必要とする、あるいは、新たに製造する必要がある。
【０００７】
本発明は、このような植物工場などでにおいて、葉物類の栽培に使用される平パレットを、根菜類の栽培に活用することを可能とする畝築造栽培アダプタ、並びに、それを利用した畝築造栽培装置に関するものである。さらに本発明は、このような畝築造栽培アダプタ、畝築造栽培装置において、栽培用土に冷気を均一に供給することで、野菜や果実などの栽培対象物の品質向上を目的とするものである。
【課題を解決するための手段】
【０００８】
そのため本発明に係る畝築造栽培アダプタは、
上面と側面を有する筐体を有し、
前記上面には、立壁で形成されるとともに、第１の方向に延在する開口を有する栽培土
用空間が形成され、
前記側面と前記立壁の間、もしくは、前記立壁同士の間には通気空間が形成され、
前記第１の方向と交差する前記側面には、前記通気空間に冷気を流入、流出させるための通気孔が設けられていることを特徴とする。
【０００９】
さらに本発明に係る畝築造栽培アダプタにおいて、
前記栽培土用空間を形成する立壁には、排水孔が設けられていることを特徴とする。
【００１０】
さらに本発明に係る畝築造栽培アダプタにおいて、
前記栽培土用空間を形成する立壁の下部には、脚部が設けられていることを特徴とする。
【００１１】
また本発明に係る畝築造栽培装置は、
畝築造栽培アダプタと、
前記畝築造栽培アダプタの下方に配置される平パレットを有し、
前記畝築造アダプタは、
上面と側面を有する筐体を有し、
前記上面には、立壁で形成されるとともに、第１の方向に延在する開口を有する栽培土用空間が形成され、
前記側面と前記立壁の間、もしくは、前記立壁同士の間には通気空間が形成され、
前記第１の方向と交差する前記側面には、前記通気空間に冷気を流入、流出させるための通気孔が設けられていることを特徴とする。
【発明の効果】
【００１２】
本発明に係る畝築造栽培アダプタ、並びに、畝築造栽培装置によれば、従来、葉物類の栽培に使用していた平パレットを用いて、根菜類など比較的深い土壌を必要とする栽培対象物を栽培することが可能となる。また、栽培対象物の成長に必要となる栽培用土を蓄える栽培用土空間を確保したことで、栽培用土を過度に使用することなく無駄を抑えることが可能となる。さらに、栽培用土空間の延在する方向と直交する筐体側面に通気孔を形成したことで、温度調整用の冷気をスムースに流通させることが可能となり、栽培用土を均一に温度調整することが可能となる。
【００１３】
さらに本発明では、栽培用土空間を形成する立壁に排水孔を設けたことにより、栽培用土の水分を適切に保つことが可能となる。
【００１４】
さらに本発明では、栽培用土空間を形成する立壁の下部に脚部を設けたことで、栽培用土空間と平パレットとの間に空間を形成することが可能となる。このような空間を形成したことにより、平パレットに貯まった水が栽培用土空間に流入することを抑制するととももに、栽培用土が投入されることで重量が増した栽培用土空間を支持することが可能となる。さらに、外部から流入する冷気を栽培用土空間の下部にまで行き渡らせることで、さらに均一に栽培用土の温度調整を行うことが可能となる。
【図面の簡単な説明】
【００１５】
【図１】本発明の実施形態に係る畝築造栽培装置の構成を示す図。
【図２】本発明の実施形態に係る畝築造栽培装置の斜視図。
【図３】本発明の実施形態に係る畝築造栽培装置の断面図。
【図４】本発明の実施形態に係る畝築造栽培装置の冷気流通の様子を示す断面図。
【図５】本発明の実施形態に係る畝築造栽培装置の接続の様子を示す図。
【図６】本発明の他の実施形態に係る畝築造栽培装置の接続の様子を示す図。
【図７】本発明の他の実施形態に係る態畝築造栽培装置の断面図。
【発明を実施するための形態】
【００１６】
本発明の実施形態に係る畝築造栽培装置について図を用いて説明を行う。図１は、本発明の実施形態における畝築造栽培装置の構成を示す図である。本実施形態の畝築造栽培装置は、畝築造栽培アダプタ１と、平パレット２と、スペーサ３を有して構成されている。畝築造栽培装置は、これら３つの構成を図に示すように、下から平パレット２、スペーサ３、畝築造栽培アダプタ１の順に重ねることによって構成される。このように本実施形態の畝築造栽培装置では、従来、各種栽培に使用されていた平パレット２に畝築造栽培アダプタ１を取り付けるだけで、比較的深い土壌を必要とする根菜類などを容易に栽培することを可能としている。
【００１７】
畝築造栽培アダプタ１は、プラスチックなど軽量かつ必要強度を有する材料にて一体形成されている。この畝築造栽培アダプタ１は、矩形上の筐体上面１１１と、その周囲に形成された４つの筐体側面（前面１１２、後面１１３、左面１１４、右面１１５）にて形成されている。筐体上面１１１と対向する側は開口となっている。
【００１８】
この筐体上面１１１には、立壁１１１ａ〜１１１ｃにより、３つの開口が形成されており、それぞれ栽培用土空間１２Ａ〜１２Ｃを形成している。本実施形態では、各栽培用土空間１２Ａ〜１２Ｃは、筐体側面中、前面１１２側から後面１１３に向かう方向に延在した形状となっている。そして、各栽培用土空間１２Ａ〜１２Ｃの断面は、根菜類の栽培を考慮し、開口側から底面に向かって徐々に窄む形状（上底の長い台形状）となっている。この栽培用土空間１２Ａ〜１２Ｃには、根菜類などの野菜栽培用の栽培用土が投入されて畝を形成することとなるが、栽培用土空間１２Ａ〜１２Ｃの形状により、野菜栽培用に必要な栽培用土を確保すると共に、その使用量を抑えることが可能となっている。
【００１９】
栽培用土空間１２Ａ〜１２Ｃを形成する各立壁１１１ａ〜１１１ｃの底面には、複数の排水孔１４が設けられている。野菜などの栽培時、栽培用土空間１２Ａ〜１２Ｃの上部から注がれた水は、この排水孔１４から排水され、栽培用土の給水状態が過剰とならないようにしている。なお、排水孔１４は、立壁１１１ａ〜１１１ｃの底面のみならず、必要に応じて立壁１１１ａ〜１１１ｃの任意の位置に設けることが可能である。
【００２０】
このように畝築造栽培アダプタ１は、上面１１１、側面１１２〜１１５、栽培用土空間１２Ａ〜１２Ｃを形成する立壁１１１ａ〜１１１ｃにて構成されているが、これら各構成の裏面側の空間は、冷気を通気させるための通気空間として利用される。野菜栽培、特に、大根、人参、ゴボウなどといった根菜類の栽培時には、野菜栽培が行われる土壌（栽培用土）を適度に冷却することで、栽培される野菜の品質を高める（糖質増加など）ことが可能となる。
【００２１】
畝築造栽培アダプタ１の裏面側に設けられた通気空間１５は、外部から流入させた冷気によって、栽培用土空間１２Ａ〜１２Ｃ内の栽培用土を冷却するための空間である。特に、本実施形態では、畝築造栽培アダプタ１の前面１１２と後面１１３には、筐体外部と通気空間１５を連通する複数の通気孔１３ａ〜１３ｈを設けたことで、栽培用土空間１２Ａ〜１２Ｃが延在する方向に向かって冷気を通気させることが可能となっている。このような形態では、例えば、前面１１２に設けられた通気孔１３ａ〜１３ｄに流入させた冷気を、後面１１３に設けられた通気孔１３ｅ〜１３ｈから流出させ、通気空間１５内の一部に冷気を留まらせることなく、通気空間１５全体を一様に冷却することで、栽培用土を均一に冷却することが可能となる。
【００２２】
さらに本実施形態では、通気孔１３ａ〜１３ｈが、栽培用土空間１２Ａ〜１２Ｃと対向しない位置に配置されており、冷気の流通がさらにスムーズに行われる形態となっている
。
【００２３】
平パレット２は、下面と側面を有し、上面が開放されたパレットであり、畝築造栽培アダプタ１と同様、プラスチックなど、軽量且つ強度を有する材料で形成されている。また、図示していないが、この平パレット２には、水抜き用のドレイン孔が設けられており、栽培などのため上面から注入された水を外部に排水することが可能となっている。
【００２４】
本実施形態の畝築造栽培装置は、畝築造栽培アダプタ１と平パレット２の間にスペーサ３を介在させることで構成される。このスペーサ３は、栽培用土空間１２Ａ〜１２Ｃを形成する立壁１１１ａ〜１１１ｃの下面と、平パレット２との間に空間を形成するために使用される。また、このスペーサ３は、栽培用土空間１２Ａ〜１２Ｃに栽培用土が投入された際、立壁１１１ａ〜１１１ｃの下面を支持する役割も有する。以上のような目的のため、本実施形態のスペーサ３は、ベッドマットの骨組みのように、針金を粗く絡み合わせたスプリング構造を有する形態を使用している。このようなスペーサ３の構成では、立壁１１１ａ〜１１１ｃが栽培用土の重さによってスペーサ３に密着した場合においても、スペーサ３内部に空間を形成することが可能となる。
【００２５】
スペーサ３によって、立壁１１１ａ〜１１１ｃの下面と、平パレット２との間に空間を形成することで以下のような利点がある。１つには、単パレット２内部に貯まった水が排水孔１４を介して栽培用土側に流入することがなく、栽培用土が過剰に給水されることで発生する栽培対象物の根腐れを抑制することが可能となる。他の利点としては、前述したように本実施形態の畝築造栽培アダプタ１では、通気空間１５に冷気を流通させることとなるが、スペーサ３を使用することで、栽培用土空間１２Ａ〜１２Ｃの下面側にも冷気を通過させることが可能となり、栽培用土空間１２Ａ〜１２Ｃを効率的かつ均一に冷却することが可能となる。
【００２６】
以上、本実施形態の畝築造栽培装置では、従来、各種栽培に使用されていた平パレット２に畝築造栽培アダプタ１を取り付けることで、比較的深い土壌を必要とする根菜類などを容易に栽培することが可能となる。また、畝築造栽培アダプタ１は、第１の方向（本実施形態では、前面１１２から後面１１３の方向）に、栽培用土空間１２Ａ〜１２Ｃを形成すると共に、当該栽培用土空間１２Ａ〜１２Ｃの裏面側に形成された通気空間１５に冷気を通気させるため、第１の方向と交差する側面（本実施形態では、前面１１２と後面１１３）に通気孔１３ａ〜１３ｈを形成したことで、栽培用土空間１２Ａ〜１２Ｃに投入される栽培用土を均一に冷却し、栽培対象となる根菜類などの品質向上を図ることが可能となる。
【００２７】
図２には本発明の実施形態における畝築造栽培装置の斜視図が記載されている。図１で説明したように、平パレット２を設置した後、スペーサ３、畝築造栽培アダプタ１の順で積み重ねることで、この畝築造栽培装置が形成される。畝築造栽培装置の形成後、栽培用土空間１２Ａ〜１２Ｃに栽培用土を投入して畝を形成し、根菜類など栽培対象物の種や苗などを畝に植える。さらに、通気孔１３ａ〜１３ｄに冷気を流入させ、通気孔１３ｅ〜１３ｈから排気させることで、畝築造栽培アダプタ１の内部空間（通気空間１５）の温度調整を行うことで、栽培用土を適切な温度に調整することが可能となる。
【００２８】
図３には、栽培用土空間１２Ａ〜１２Ｃに栽培用土４Ａ〜４Ｃが投入された状態の畝築造栽培装置の断面図が示されている。この断面図は、図２の前面１１２と平行な面で、栽培用土空間１２Ａ〜１２Ｃ部分を切断したときの様子が示されている。図３を見て分かるように、畝築造栽培アダプタ１内部は、側面１１４と立壁１１１ａ、立壁１１１ａと立壁１１１ａ、立壁１１１ｂと立壁１１１ｃ、立壁１１１ｃと側面１１５で挟まれた空間（通気空間１５）が形成されている。この通気空間１５に冷気を通気させることで、栽培用土
４Ａ〜４Ｃを適切な温度に管理することが可能となる。
【００２９】
また、立壁１１１ａ〜１１１ｃの下面側には、スペーサ３が設けらている。図では、立壁１１１ａ〜１１１ｃの下面とスペーサ３の間に若干の隙間を空けて図示しているが、立壁１１１ａ〜１１１ｃの下面とスペーサ３の上面は、接触支持させることとしてもよい。栽培用土４Ａ〜４Ｃが投入されることで畝築造栽培アダプタ１が撓んだ場合においても、スペーサ３によて立壁１１１ａ〜１１１ｃの下面を支持することが可能となる。また、このような支持形態においても、スプリング構造のようなスペーサ３内部では、空気が流通する空間を確保することで冷気を通気させることが可能となる。さらに、平パレット２内部に貯まった水を立壁１１１ａ〜１１１ｃ側にくみ上げることもない。
【００３０】
また、本実施形態の畝築造栽培装置は、根菜類などの栽培を前提としたものであって、そのため、畝築造栽培アダプタ１の各栽培用土空間１２Ａ〜１２Ｃの深さＤは開口幅Ｗよりも長く設定されている。また、栽培用土空間１２Ａ〜１２Ｃは、徐々に開口面積が窄んだ形状となっており、根菜類の栽培に適切な形状となっている。
【００３１】
では、このような畝築造栽培装置における冷気の流通について図を用いて説明する。図４は、本発明の実施形態における畝築造栽培装置の冷気流通の様子を示す断面図である。この図は、畝築造栽培アダプタ１の上面１１１に平行な面で切断したときの図であって、図中、矢印は冷気の流通経路を示している。本実施形態では、図１において通気孔１３ａ〜１３ｄを冷気流入側、通気孔１３ｅ〜１３ｈを冷気流出側として使用している。本実施形態では、冷却装置などと接続するため、各通気孔１３ａ〜１３ｈには通気ダクト５ａ〜５ｄが取り付けられている。通気孔１３ａ〜１３ｄから流入した冷気は、畝築造栽培アダプタ１の内部空間である通気空間１５に流入し、通気孔１３ｅ〜１３ｈを介して外部に流出する。
【００３２】
また、本実施形態では、各通気孔１３ａ〜１３ｈが、栽培用土空間１２Ａ〜１２Ｃと対向しない位置に配設されていることで、冷気の流通性向上が図られ、栽培用土を均一に温度調整することが可能となっている。例えば、通気孔１３ａから流入した冷気は、主に左面１１４と栽培用土空間１２Ａとの間を阻害されることなく流通し、栽培用土空間１２Ａを冷却しつつ通気孔１３ｅから流出する。また、通気孔１３ｂから流入した冷気は、主に栽培用土空間１２Ａと栽培用土空間１２Ｂとの間を阻害されることなく流通し、栽培用土空間１２Ａと栽培用土空間１２Ｂを冷却しつつ通気孔１３ｆから流出する。他の通気孔１３ｃ、１３ｄから流入する冷気についても同様であって、冷気の流通阻害を極力抑えた構成となっている。
【００３３】
さらに本実施形態では、図３で説明したように立壁１１１ａ〜１１１ｃの下面と平パレット２との間にスペーサ３による空間が形成されている。したがって、外部から流入した冷気は、この空間を通過することで、立壁１１１ａ〜１１１ｃの下面、すなわち、栽培用土空間１２Ａ〜１２Ｃの下部から温度調整を行うことが可能となる。したがって、より一層、栽培用土４Ａ〜４Ｃを均一に冷却し、根菜類などの栽培に適切な環境を構築することが可能となっている。
【００３４】
では、このような畝築造栽培装置を複数接続した場合のシステム構成について説明する。図５は、本発明の実施形態における畝築造栽培装置の接続の様子を示す図である。図４にて説明したように畝築造栽培アダプタ１の通気孔１３ａ〜１３ｈには、冷気を通気させるための通気ダクト５ａ〜５ｈが接続されることとなるが、畝築造栽培装置を複数接続する場合、この通気ダクト５ａ〜５ｈによって隣接する畝築造栽培装置を接続している。
【００３５】
図５に示す畝築造栽培システムでは、合計６個の畝築造栽培装置を通気ダクト５によっ
て接続している。各畝築造栽培装置は、各々、平パレット２Ａ〜２Ｆと畝築造栽培アダプタ１Ａ〜１Ｆを有して構成されている。本実施形態では、図示しない冷却装置から、畝築造栽培アダプタ１Ａに冷気が流入され、１Ｂ、１Ｃ、１Ｄ、１Ｅ、１Ｆの順で冷気を通過させている。畝築造栽培アダプタ１Ｆから流出した冷気は、冷却装置に流入して再度冷却される。本実施形態では、特に、畝築造栽培アダプタ１Ｃと１Ｄの間は、冷気流通の方向を１８０度、折り返す構成となっており、流入側の畝築造栽培アダプタ１Ａと流出側の畝築造栽培アダプタ１Ｆを隣接させている。このような構成によれば、冷却装置を畝築造栽培アダプタ１Ａと１Ｆに近接させて配置することで、冷気の循環効率改善を図ることが可能となる。
【００３６】
なお、本実施形態では、畝築造栽培アダプタ１に設けられた通気孔１３ａ〜１３ｈに通気ダクト５を接続することで畝築造栽培装置同士を接続することとしているが、この接続は以下のように変更することも可能である。図６には、本発明の他の実施形態に係る畝築造栽培装置の接続の様子を示す図が示されている。
【００３７】
本実施形態では、畝築造栽培アダプタ１の通気孔１３ａ〜１３ｈを、畝築造栽培アダプタ１を平パレット２に設置したとき、平パレット２の側壁にて覆われる位置に設け、平パレット２側にも畝築造栽培アダプタ１の通気孔１３ａ〜１３ｈと対向する位置に通気孔を設けておく。各畝築造栽培装置同士の接続は、この平パレット２側に設けられた通気孔同士を通気ダクト５にて接続する。このような構成によれば、各畝築造栽培装置同士が通気ダクト５を介して接続されている状態で、畝築造栽培アダプタ１のみを取り外すことが可能となる。したがって、栽培対象物を収穫する、あるいは、栽培種を変更するといった場合、畝築造栽培アダプタ１のみを容易に取り外す、あるいは交換することが可能となる。
【００３８】
以上、図５、図６を用いて説明した畝築造栽培システムは、コンテナなどの閉空間に格納され、砂漠や極寒地といった栽培に適さない悪環境下における栽培システムとして利用することが可能である。コンテナなどの閉空間には、この畝築造栽培装置以外に、冷却装置や送風装置などの温度調整装置、栽培対象物に光を供給するＬＥＤライトなどの照明装置が設置される。また、栽培対象物に水を滴下、散布する水分供給装置を設置することも考えられる。また、冷却装置、送風装置、照明装置、水分供給装置などの電源としては、閉空間外部に設けた太陽光パネルで賄うこととしてもよい。
【００３９】
以上、本実施形態では、畝築造栽培装置を畝築造栽培アダプタ１を使用して構成したことで、比較的深い土壌を必要とする根菜類を容易に栽培することが可能となる。また、畝築造栽培アダプタ１内部を冷気を通気させる通気空間１５として使用することで、栽培対象物を適切な温度環境化で栽培し、その品質の向上を図ることが可能となっている。
【００４０】
以上の実施形態では、図１、図３で説明したように立壁１１１ａ〜１１１ｃの下面と平パレット２の間にスペーサ３を設けることで、栽培用土空間１２Ａ〜１２Ｃの下側に空間を形成することとしていた。この空間の形成は、このようなスペーサ３を用いる以外に他の形態を採用することも可能である。図７には、本発明の他の実施形態における態畝築造栽培装置の断面図が示されている。この図７は、図３と同様、図２の前面１１２と平行な面で、栽培用土空間１２Ａ〜１２Ｃ部分を切断したときの様子が示されている。
【００４１】
本実施形態では、栽培用土空間１２Ａ〜１２Ｃの下側に空間を形成するため、畝築造栽培アダプタ１の立壁１１１ａ〜１１１ｃの下面に脚部１６ａ〜１６ｃが設けられている。本実施形態では、この脚部１６ａ〜１６ｃは、畝築造栽培アダプタ１と一体成形されているが、別体として構成することも可能である。脚部１６ａ〜１６ｃは、栽培用土空間１２Ａ〜１２Ｃに栽培用土が投入された際、その重量を支えるとともに、栽培用土空間１２Ａ〜１２Ｃの下側に空間を形成する。形成された空間は、流入される冷気を通過させ栽培用
土４Ａ〜４Ｃを均一に冷却するとともに、平パレット２に貯まった水が、栽培用土４Ａ〜４Ｃ側に流入し、栽培対象物が根腐れすることを防ぐ役割を果たす。
【００４２】
なお、本発明はこれらの実施形態のみに限られるものではなく、それぞれの実施形態の構成を適宜組み合わせて構成した実施形態も本発明の範疇となるものである。
【符号の説明】
【００４３】
１…畝築造栽培アダプタ
１１…筐体
１１１…筐体上面
１１１ａ、１１１ｂ、１１１ｃ…立壁
１１２…筐体側面（前面）
１１３…筐体側面（後面）
１１４…筐体側面（左面）
１１５…筐体側面（右面）
１２…栽培用土空間
１３…通気孔
１４…排水孔
１５…通気空間
１６…脚部
２…平パレット
３…スペーサ
４…栽培用土
５…通気ダクト
【図１】
2014103876.tif 000003
【図２】
2014103876.tif 000004
【図３】
2014103876.tif 000005
【図４】
2014103876.tif 000006
【図５】
2014103876.tif 000007
【図６】
2014103876.tif 000008
【図７】
2014103876.tif 000009